(57)【要約】      （修正有）【課題】誰もが容易に使用でき、且つ、怪我等で負傷した人の片方の負傷側の足に適度な負荷を与えて歩行訓練する事で早期回復を可能にする足矯正用履物を提供する。【解決手段】使用する負傷者の足の怪我の程度や状況に応じて任意に調整可能な適度な段差と傾斜角度をそれぞれ設けた踵を有する左右一対の履物から成り、且つ、左右一対の履物の内、片方側の履物の踵部の高さに所定寸法の段差を設け、且つ、段差を設けた高い方の踵の部分は外側を高く、内側を低くした所定の傾斜角度を任意に調整可能に設け、且つ、使用する時は左右の踵の高さの段差と傾斜角度を調整し、一方の正常側の足は踵の高い方の履物を使用し、且つ、他方の負傷側の足は踵の低い方の履物を使用する事で、負傷側の足に適度な負荷を掛けながら歩行訓練可能にしたものである。【選択図】図３
0003153507.tif 000002
【実用新案登録請求の範囲】
【請求項１】
交通事故等で両足の内、右又は左の片方側の足を怪我して歩けなく成った人が歩行訓練用に使用して足を矯正し、回復させる為の足矯正用履物であって、該履物は使用する負傷者（Ｗ）の足の怪我の程度や状況に応じて任意に調整可能な適度な段差と傾斜角度をそれぞれ設けた踵を有する左右一対の履物（１），（２）から成り、且つ、左右一対の履物（１），（２）の内、片方側の履物の踵部（１Ｌａ）（１Ｒａ），（２Ｌａ）（２Ｒａ）の高さに所定寸法（Ｈ）の段差を設け、且つ、段差を設けた高い方の踵（１Ｒａ），（２Ｌａ）の部分は外側を高く、内側を低くした所定の傾斜角度（α）を任意に調整可能に設け、且つ、使用する時は左右の踵の高さの段差と傾斜角度を調整し、一方の正常側の足は踵の高い方の履物を使用し、且つ、他方の負傷側の足は踵の低い方の履物を使用する事で、負傷側の足に適度な負荷を掛けながら歩行訓練可能にした事を特徴とする足矯正用履物。
【請求項２】
交通事故等で両足の内、右又は左の片方側の足を怪我して歩けなく成った負傷者（Ｗ）が歩行訓練用に使用して足を矯正し、回復させる為の空気圧調整型足矯正用履物であって、該空気圧調整型足矯正用履物は踵内部に高さを任意に調整可能に設けた空気充填用弁（Ｖ）付畜圧部（ＡＲ'）を設け、且つ、使用時は履物を使用する負傷者（Ｗ）の足の怪我の程度や状況に応じて踵部に空気（ＡＲ）を充填しながら空気圧を任意に調整し高さを調整可能に設けた事を特徴とする足矯正用履物。
【考案の詳細な説明】
【技術分野】
【０００１】
この考案は、事故や怪我等で負傷した足を正常にする為の足矯正用履物に関するものである。
【背景技術】
【０００２】
従来、交通事故等で足を負傷した場合、治療して回復するまでには早くても数か月掛かる事が多い。特に骨折等の場合にはギプス（包帯）で足全体を覆い骨が完全にくっつくまで長期間固定しておく必要がある為、足の血流不足と筋力低下により足全体が麻痺状態に成ってしまう。
【０００３】
従って、麻痺状態に成った負傷した方の足を一日でも早く正常な状態に回復させる為には、ギプスが取れたら即刻足を動かす事が重要であることは勿論であるが、長期間固定したまま動かさなかった足はそう簡単には回復し難い為、負傷した方の足に適度な負荷荷重を少しずつ掛けながら歩行訓練をする事で、回復力が代わってくる（早まる）事が判明している。
【０００４】
そこで、上記の問題を解決するべく、負傷した方の足に適度な負荷荷重を掛けながら歩行訓練が出来る足矯正用履物の早期開発が望まれている。
【先行技術文献】
【特許文献】
【０００５】
これまでに出願されている足矯正用履物に関する特許文献を参考の為、紹介する（特許文献１〜２参照）。
【特許文献１】特許第３２３９３３４号
【特許文献２】特許公表２００３−５０１１８１
【０００６】
上記、特許文献１は足矯正用の中底に関するもので、より詳細には運動や歩行時に着用して安楽さと共に矯正する為に特定の足に対し、簡便に適用出来るようにした基本型の中底板等と、前記中底板等の上に敷いて、地面に対する角度を調整できる前端ウェッジ及び後端ウェッジ等を有する足矯正用中底に関するものである。
【０００７】
又、特許文献２は爪部分、踵部分、及びその中間部にある中央部を持ち、平坦な底面と、周縁が持ち上がっていてそれぞれ両縁から長手方向中央に向かって緩やかに下降傾斜する上面を持つことで、ほぼ中央部で上向きの凹面形状を形成する足床部、平坦な上面と、ほぼ中央で下向きの、横方向凸面形状を持つ下面を持つことで、その下に位置する足床アセンブリと合致して、これにフィットし、対応する足床アセンブリより幅の狭い詰め中央部を持つ詰め部材と、詰め部材を横方向に移動させて、足床アセンブリの平坦な下面に対する、詰め部材の平坦な上面の角度を調整する為の手段を備える、靴用の調整自在な足部支持システムに関するものである。
【考案の概要】
【考案が解決しようとする課題】
【０００８】
そこで、上記課題を解決する為に、この考案は誰もが容易に使用でき、且つ、怪我等で負傷した人の片方の負傷側の足に適度な負荷を与えて歩行訓練する事で早期回復を可能にする足矯正用履物を開発・提供する事にある。
【課題を解決するための手段】
【０００９】
課題を解決する為の手段として、使用する負傷者の足の怪我の程度や状況に応じて任意に調整可能な適度な段差と傾斜角度をそれぞれ設けた踵を有する左右一対の履物から成り、且つ、左右一対の履物の内、片方側の履物の踵部の高さに所定寸法の段差を設け、且つ、段差を設けた高い方の踵の部分は外側を高く、内側を低くした所定の傾斜角度を任意に調整可能に設け、且つ、使用する時は左右の踵の高さの段差と傾斜角度を調整し、一方の正常側の足は踵の高い方の履物を使用し、且つ、他方の負傷側の足は踵の低い方の履物を使用する事で、負傷側の足に適度な負荷を掛けながら歩行訓練可能にしたものである。
【００１０】
又、踵内部に高さを任意に調整可能に設けた空気充填用弁付畜圧部を設け、且つ、使用時は履物を使用する負傷者の足の怪我の程度や状況に応じて踵部に空気を充填しながら空気圧を任意に調整し高さを調整可能に設けたものである。
【考案の効果】
【００１１】
この考案の効果として、使用する負傷者の足の怪我の程度や状況に応じて任意に調整可能な適度な段差と傾斜角度をそれぞれ設けた踵を有する左右一対の履物から成り、且つ、左右一対の履物の内、片方側の履物の踵部の高さに所定寸法の段差を設け、且つ、段差を設けた高い方の踵の部分は外側を高く、内側を低くした所定の傾斜角度を任意に調整可能に設け、且つ、使用する時は左右の踵の高さの段差と傾斜角度を調整し、一方の正常側の足は踵の高い方の履物を使用し、且つ、他方の負傷側の足は踵の低い方の履物を使用する事で、負傷側の足に適度な負荷を掛けながら歩行訓練可能にし、又、踵内部に高さを任意に調整可能に設けた空気充填用弁付畜圧部を設け、且つ、使用時は履物を使用する負傷者の足の怪我の程度や状況に応じて踵部に空気を充填しながら空気圧を任意に調整し高さを調整可能に設けた事で、怪我等で負傷した人の片方の負傷側の足に適度な負荷を与えて歩行訓練する事が出来、早期回復を可能にすることが出来る。又、軽量で構造が簡単な為、安価で誰もが容易に使用出来る等、極めて有益なる効果を奏するものである。
【図面の簡単な説明】
【００１２】
【図１】この考案の一実施例を示し、（Ａ）は右側の踵部を高くした時の足矯正用履物の平面図で、（Ｂ）は正面図である。
【図２】この考案の一実施例を示し、（Ａ）は左側の踵部を高くした時の足矯正用履物の平面図で、（Ｂ）は正面図である。
【図３】この考案の左足を負傷した人の使用例を示し、背面図である。
【図４】この考案のその他の実施例を示し、（Ａ）は空気圧調整型足矯正用履物の平面図で、（Ｂ）は左側の踵部を高くした時の正面図で、（Ｃ）は右側の踵部を高くした時の正面図である。
【考案を実施するための形態】
【００１３】
考案を実施するための形態として、交通事故等で両足の内、右又は左の片方側の足を怪我して歩けなく成った人が歩行訓練用に使用して足を矯正し、回復させる為の足矯正用履物であって、該履物は使用する負傷者の足の怪我の程度や状況に応じて任意に調整可能な適度な段差と傾斜角度をそれぞれ設けた踵を有する左右一対の履物（１），（２）から成り、且つ、左右一対の履物（１），（２）の内、片方側の履物の踵部（１Ｌａ）（１Ｒａ），（２Ｌａ）（２Ｒａ）の高さに所定寸法（Ｈ）の段差を設け、且つ、段差を設けた高い方の踵（１Ｒａ），（２Ｌａ）の部分は外側を高く、内側を低くした所定の傾斜角度（α）を任意に調整可能に設け、且つ、使用する時は左右の踵の高さの段差と傾斜角度を調整し、一方の正常側の足は踵の高い方の履物を使用し、且つ、他方の負傷側の足は踵の低い方の履物を使用する事で、負傷側の足に適度な負荷を掛けながら歩行訓練可能にした事を特徴とする足矯正用履物から構成される。
【００１４】
又、交通事故等で両足の内、右又は左の片方側の足を怪我して歩けなく成った人が歩行訓練用に使用して足を矯正し、回復させる為の空気圧調整型足矯正用履物であって、該空気圧調整型足矯正用履物は踵内部に高さを任意に調整可能に設けた空気充填用弁（Ｖ）付畜圧部（ＡＲ'）を設け、且つ、使用時は履物を使用する負傷者の足の怪我の程度や状況に応じて踵部に空気（ＡＲ）を充填しながら空気圧を任意に調整し高さを調整可能に設けた事を特徴とする足矯正用履物から構成される。
【実施例１】
【００１５】
そこで、この考案の一実施例を図１〜図２に基づいて詳述すると、図１（Ａ）（Ｂ）は左側の踵を低く、右側の踵を高くした時のスリッパ又はサンダル等の履物の（Ａ）が平面図で、（Ｂ）が正面図を示し、図２（Ａ）（Ｂ）は前記の反対勝手で左側の踵を高く、右側の踵を低くした時のスリッパ又はサンダル等の履物の（Ａ）が平面図で、（Ｂ）が正面図を示したものである。
【００１６】
そして、上記の足矯正用履物は、例えば左足を負傷した人が使用する時は図１の左足の踵部が低く、右足の踵部が高いものを使用し、左右の段差の所定寸法（Ｈ）は使用する負傷者の足の怪我の程度や状況に応じて任意に調整しながら決定する。又、段差（Ｈ）を設けた高い方の踵部の内向き傾斜角度（α）も歩行時に無理が無く、しかも横滑りとヘラ返りが生じない最適な寸法に調整する事が望ましい。
【００１７】
次に、この考案である足矯正用履物の使用方法について説明すると、図３に示す様に例えば左足を負傷した人が使用する時は、左側の踵が低く、右側の踵が高い履物を使用し、左右の踵の高さの段差寸法（Ｈ）及び内向き傾斜角度（α）は負傷者の足の怪我の程度や状況に応じて任意に調整し、使用する時は負傷側の左脇に松葉杖を当て、右足とバランスを取りながら、３０、５０、７０、１００％と除々に負傷した左足に負荷を掛けながら少しずつ歩行し、医師と相談しながら、回復状況に合わせて、少しずつ歩行時間や歩行距離を延ばしながら歩行訓練を行う。
【実施例２】
【００１８】
この考案のその他の実施例として、図４は空気圧調整型足矯正用履物を示し、（Ａ）は一部欠截平面で、（Ｂ）は左踵部側を高く、右踵部側を低くした時の正面図で、（Ｃ）は右踵部側を高く、左踵部側を低くした時の正面図である。
【００１９】
上記図４（Ａ）（Ｂ）（Ｃ）に示すように履物の左右踵部に空気（ＡＲ）を畜圧する畜圧部（ＡＲ'）をそれぞれ設け、該畜圧部後部に空気（ＡＲ）を圧入する為の空気充填用弁（Ｖ）をそれぞれ螺着して設け、空気圧を調整する事で、踵部の高さを任意に調整可能にするものである。
【００２０】
上記、実施例１又は実施例２の履物については、スリッパ又はサンダルの例を示したが、図示はしないが当然、靴であっても構わない。
【産業上の利用可能性】
【００２１】
この考案の足矯正用履物は、誰もが容易に使用でき、且つ、怪我等で負傷した人の片方の負傷側の足に適度な負荷を与えて歩行訓練する事で早期回復を可能にすることが出来る為、交通事故等で足を負傷した多くの人に寄与する為、産業上の利用可能性を有する。
【符号の説明】
【００２２】
１  左右一対の足矯正用履物（左側低踵，右側高踵）
１Ｌ  左側の履物
１Ｌａ  踵部（低踵）
１Ｒ  右側の履物
１Ｒａ  踵部（高踵）
２  左右一対の足矯正用履物（左側高踵，右側低踵）
２Ｌ  左側の履物
２Ｌａ  踵部（高踵）
２Ｒ  右側の履物
２Ｒａ  踵部（低踵）
３  左右一対の空気圧調整型足矯正用履物
３Ｌ  左側の履物
３Ｌａ  踵部（高踵）
３Ｌａ'  踵部（低踵）
３Ｒ  右側の履物
３Ｒａ  踵部（低踵）
３Ｒａ'  踵部（高踵）
ＡＲ  空気
ＡＲ'  畜圧部
Ｈ  所定寸法（段差）
Ｖ  空気充填用弁
Ｗ  負傷者
α  傾斜角度
【図１】
0003153507.tif 000003
【図２】
0003153507.tif 000004
【図３】
0003153507.tif 000005
【図４】
0003153507.tif 000006
【手続補正書】
【提出日】平成21年7月10日(2009.7.10)
【手続補正１】
【補正対象書類名】実用新案登録請求の範囲
【補正対象項目名】全文
【補正方法】変更
【補正の内容】
【実用新案登録請求の範囲】
【請求項１】
交通事故等で両足の内、右又は左の片方側の足を怪我して歩けなく成った人が歩行訓練用に使用して足を矯正し、回復させる為の足矯正用履物であって、該履物は使用する負傷者（Ｗ）の足の怪我の程度や状況に応じて任意に調整可能な適度な段差と傾斜角度をそれぞれ設けた踵を有する左右一対の履物（１），（２）から成り、且つ、左右一対の履物（１），（２）の内、片方側の履物の踵部（１Ｌａ）（１Ｒａ），（２Ｌａ）（２Ｒａ）の高さに所定寸法（Ｈ）の段差を設け、且つ、段差を設けた高い方の踵（１Ｒａ），（２Ｌａ）の部分は外側を高く、内側を低くした所定の傾斜角度（α）を任意に調整可能に設け、且つ、使用する時は左右の踵の高さの段差と傾斜角度を調整し、一方の正常側の足は踵の高い方の履物を使用し、且つ、他方の負傷側の足は踵の低い方の履物を使用する事で、負傷側の足に適度な負荷を掛けながら歩行訓練可能にした事を特徴とする足矯正用履物。
【請求項２】
交通事故等で両足の内、右又は左の片方側の足を怪我して歩けなく成った負傷者（Ｗ）が歩行訓練用に使用して足を矯正し、回復させる為の任意に調整可能な適度な段差と傾斜角度をそれぞれ設けた踵を有する左右一対の履物（１），（２）において、該履物の踵内部に高さを任意に調整可能に設けた空気充填用弁（Ｖ）付蓄圧部（ＡＲ'）を設け、且つ、使用時は履物を使用する負傷者（Ｗ）の足の怪我の程度や状況に応じて踵部に空気（ＡＲ）を充填しながら空気圧を任意に調整し高さを調整可能に設けた事を特徴とする足矯正用履物。